(57)【特許請求の範囲】
【請求項１】
粘性液を収容しその先端に粘性液塗布のための先端塗布体を有する液体容器の先端部に着脱可能に被着され、該先端塗布体を保護する液体容器のキャップであって、
キャップ本体の奥部に前記先端塗布体の乾燥を防止する溶剤を含浸させた溶剤含浸材を設け、さらにキャップ本体内に該溶剤含浸材と前記先端塗布体とを仕切るための仕切り壁を固定し、該仕切り壁の径方向中心部に溶剤含浸材の方へ突出する筒状突出部を形成し、該筒状突出部の突出端において、筒状突出部の側面から突出端面との間にかけて開口を形成し、該開口を通して、溶剤含浸材からの溶剤蒸気を流出させることを特徴とする液体容器のキャップ。
【請求項２】
粘性液を収容しその先端に粘性液塗布のための先端塗布体を有する液体容器の先端部に着脱可能に被着され、該先端塗布体を保護する液体容器のキャップであって、
キャップ本体の奥部に前記先端塗布体の乾燥を防止する溶剤を含浸させた溶剤含浸材を設け、さらにキャップ本体内に該溶剤含浸材を内包するケースを固定し、該ケースの先端塗布体から離れたキャップ本体の奥部側にある端面の径方向中心部に溶剤含浸材の方へ突出する筒状突出部を形成し、該筒状突出部の突出端に開口を形成し、さらにケースとキャップ本体との間に溶剤蒸気流通用の通路を形成し、前記開口及び前記通路を通して、溶剤含浸材からの溶剤蒸気を流出させることを特徴とする液体容器のキャップ。
【請求項３】
前記ケースの先端塗布体に対向するキャップ本体の手前側にある端面の周縁に、先端塗布体の方へ突出する鍔部を形成することを特徴とする請求項２記載の液体容器のキャップ。
【発明の詳細な説明】
【０００１】
【発明の属する技術分野】
本発明は、例えば、化粧用マニュキア液や修正液等の粘性液を収容し、その先端に粘性液塗布のための先端塗布体を有する液体容器に被着されるキャップに関する。
【０００２】
【従来の技術】
従来、この種の液体容器のキャップとしては、特開平４−５７７７１号公報に記載されたものがある。かかる公報に記載されたキャップを図６に示す。図において、キャップ３０は、外キャップ３２と内キャップ３４とからなる２重キャップとなっている。外キャップ３２の底面からは、外キャップ３２の中心軸上に支持軸３２ａが突設されており、支持軸３２ａの先端は拡径された封止片３２ｂとなっている。支持軸３２ａを挿通して、内キャップ３４が封止片３２ｂと外キャップ３２の底面との間を摺動可能となっている。内キャップ３４と外キャップ３２との間には弾性体３６が介挿されており、この弾性体３６によって、内キャップ３４は外キャップ３２の底面から離反する方向へと常時付勢されている。また、内キャップ３４と外キャップ３２との間には、溶剤含浸材３８が設けられ、支持軸３２ａと内キャップ３４との間には溶剤流通用の隙間４０が設けられている。外キャップ３２の内壁にはパッキン４２が固定されている。
【０００３】
キャップ３０が液体容器から取り外されているときには、内キャップ３４の底面と支持軸３２ａの封止片３２ｂとが当接して、同時に、内キャップ３４の先端とパッキン４２が当接して、溶剤含浸材３８が密閉され、溶剤含浸材３８からの溶剤の蒸発流出が阻止される。一方、キャップ３０が液体容器に被着されているときには、液体容器４４の先端が内キャップ３４を弾性体３６の付勢力に抗して後退させ、内キャップ３４と支持軸３２ａとの間の隙間４０から溶剤を液体容器４４の先端の刷毛４４ａへと流出させて、刷毛４４ａの乾燥防止が図られるようになっている。
【０００４】
【発明が解決しようとする課題】
このように従来の液体容器のキャップでは、キャップが液体容器から取り外されているときには、溶剤含浸材が密閉され、溶剤の蒸発流出が阻止されるという利点を有しているが、キャップが液体容器から取り外されている時間、すなわち液体容器が使用されている時間は、液体容器の寿命に対してわずかな時間である。しかしながら、かかる従来の構造では、弾性体、パッキン等の多くの部品を要し、材料費及び組立て手数がかかり、コストが高くなるという問題がある。
【０００５】
本発明はかかる課題に鑑みなされたもので、本発明の目的は、低コストで液体容器の先端塗布体の乾燥を防止することができる液体容器のキャップを提供することである。
【０００６】
【課題を解決するための手段】
上記目的を達成するために本発明のうち請求項１記載の発明は、粘性液を収容し、その先端に粘性液塗布のための先端塗布体を有する液体容器の先端部に着脱可能に被着され、該先端塗布体を保護する液体容器のキャップであって、
キャップ本体の奥部に前記先端塗布体の乾燥を防止する溶剤を含浸させた溶剤含浸材を設け、さらにキャップ本体内に該溶剤含浸材と前記先端塗布体とを仕切るための仕切り壁を固定し、該仕切り壁の径方向中心部に溶剤含浸材の方へ突出する筒状突出部を形成し、該筒状突出部の突出端において、筒状突出部の側面から突出端面との間にかけて開口を形成し、該開口を通して、溶剤含浸材からの溶剤蒸気を流出させることを特徴とする。
【０００７】
キャップが液体容器に被着されているときには、仕切り壁の筒状突出部の突出端に設けた開口から溶剤蒸気を液体容器の先端塗布体へと流出させて、先端塗布体に湿りを与え先端塗布体の乾燥を阻止する。
【０００８】
キャップが液体容器から取り外され、例えば溶剤含浸材よりも仕切り壁を下側にしてキャップが設置された場合には、溶剤含浸材に含浸された溶剤が仕切り壁の方へと移動することになるが、この場合、開口が形成されている筒状突出部は、上方に突出することになり、多くは開口よりも下方の筒状突出部以外の仕切り壁の部分で滞留する。従って、筒状突出部の突出端にある開口から溶剤液体が流れ出すことはない。また、キャップが液体容器から取り外され、例えばキャップを横向き、すなわち仕切り壁を縦置きにしてキャップが設置された場合には、筒状突出部も横向きになり、多くの溶剤が溶剤含浸材の中でも、筒状突出部よりも下方の部分に滞留することになり、開口から多量の溶剤液体が流れ出すことはない。尚、これは、キャップが液体容器に被着されている状態においても同様であり、開口から溶剤液体が流れ出すことはない。
【０００９】
また、請求項２記載の発明は、粘性液を収容しその先端に粘性液塗布のための先端塗布体を有する液体容器の先端部に着脱可能に被着され、該先端塗布体を保護する液体容器のキャップであって、
キャップ本体の奥部に前記先端塗布体の乾燥を防止する溶剤を含浸させた溶剤含浸材を設け、さらにキャップ本体内に該溶剤含浸材を内包するケースを固定し、該ケースの先端塗布体から離れたキャップ本体の奥部側にある端面の径方向中心部に溶剤含浸材の方へ突出する筒状突出部を形成し、該筒状突出部の突出端に開口を形成し、さらにケースとキャップ本体との間に溶剤蒸気流通用の通路を形成し、前記開口及び前記通路を通して、溶剤含浸材からの溶剤蒸気を流出させることを特徴とする。
【００１０】
キャップが液体容器に被着されているときには、ケースの筒状突出部の突出端に設けた開口から、ケースとキャップ本体との間に形成された通路を通し、溶剤蒸気を液体容器の先端塗布体へと流出させて、先端塗布体に湿りを与え先端塗布体の乾燥を阻止する。
【００１１】
キャップが液体容器から取り外され、例えば溶剤含浸材よりもケースのキャップ本体の奥部側にある端面を下側にしてキャップが設置された場合には、溶剤含浸材に含浸された溶剤がその端面の方へと移動することになるが、この場合、開口が形成されている筒状突出部は、上方に突出することになり、多くは開口よりも下方の筒状突出部以外の端面の部分で滞留する。従って、筒状突出部の突出端にある開口から溶剤液体が流れ出すことはない。また、キャップが液体容器から取り外され、例えばキャップを横向き、すなわちケースのキャップ本体の奥部側にある端面を縦置きにしてキャップが設置された場合には、筒状突出部も横向きになり、多くの溶剤が溶剤含浸材の中でも、筒状突出部よりも下方の部分に滞留することになり、開口から多量の溶剤液体が流れ出すことはない。尚、これは、キャップが液体容器に被着されている状態においても同様であり、開口から溶剤液体が流れ出すことはない。
キャップが液体容器に被着されている状態で、先端塗布体から粘性液が飛び出した場合であっても、開口が先端塗布体と面していないので、開口が粘性液によって詰まることはない。
【００１２】
また、請求項３記載の発明は、請求項２記載のものにおいて、前記ケースの先端塗布体に対向するキャップ本体の手前側にある端面の周縁に、先端塗布体の方へ突出する鍔部を形成することを特徴とする。
【００１３】
キャップが液体容器に被着されている状態で、先端塗布体から粘性液が飛び出した場合があっても、鍔部によって粘性液が外径方向へと飛散するのを阻止する。
【００１４】
【発明の実施の形態】
以下、図面を用いて本発明の実施の形態を説明する。
【００１５】
図１ないし図３は本発明の第１の実施の形態による液体容器のキャップを示している。図において、符号１０は液体容器であり、液体容器１０は、例えば、化粧用マニュキアや修正液等の粘性液が収容されているタンク部１０ａと、このタンク部１０ａの先端に固定された先具１０ｂと、タンク部１０ａの先端部に固定された先具受け１０ｃと、先具受け１０ｃに形成された液導出口１０ｄに連通する液導出管１０ｅと、先具１０ｂ内にその基端が固定され先具１０ｂから突出する先端塗布体である刷毛１０ｆと、を有している。タンク部１０ａは可撓性材料で形成されており、使用時には、タンク部１０ａを押圧することによって、粘性液が刷毛１０ｆへと供給されて、塗布を行うことができるようになっている。
【００１６】
また、符号１２は、不使用時の刷毛１０ｆを保護するために、液体容器１０の先端に着脱可能に被着される本発明に係るキャップであり、１３はキャップ本体である。キャップ本体１３の奥部には、粘性液と同一の液または希釈液等からなる溶剤を飽和状態で含浸させた、例えばフェルト、綿からなる溶剤含浸材１４が設けられている。溶剤含浸材１４は、ケース部材１６と蓋部材１８とからなるケース２０の中に収容されており、これら溶剤含浸材１４、ケース部材１６、蓋部材１８はユニットに組み立てられた後、キャップ本体１３内に圧入固定される。
【００１７】
ケース部材１６の刷毛１０ｆと対向する端面は、溶剤含浸材１４と液体容器１０の刷毛１０ｆとを仕切るための仕切り壁１６ａとなっている。仕切り壁１６ａの径方向中心部には、溶剤含浸材１４の方へ突出する筒状突出部１６ｂが形成されている。さらにこの筒状突出部１６ｂの突出端において、図２に示したように、筒状突出部１６ｂの側面１６ｃから突出端面１６ｄとの間にかけて小さな開口１６ｅが形成されている。この位置に開口１６ｅを形成することにより、仕切り壁１６aを抜型で成形することができて、開口面がキャップ１２の軸方向に平行となった開口１６ｅを成形することができる。従って、型も傷まず、成形もきれいにできて、より低コストに製造することができる。
【００１８】
以上のように構成されるキャップにおいては、キャップ１２が液体容器１０に被着されているときには、仕切り壁１６ａの筒状突出部１６ｂの突出端に設けた開口１６ｅから溶剤蒸気が液体容器１０の刷毛１０ｆへと流出し、刷毛１０ｆに湿りを与え、刷毛１０ｆの乾燥を阻止する。
【００１９】
キャップ１２が刷毛１０ｆから取り外され、図３（ａ）に示したように、例えば溶剤含浸材１４よりも仕切り壁１６ａを下側にしてキャップ１２が設置された場合には、溶剤含浸材１４に含浸された溶剤１４ａが仕切り壁１６ａの方へと移動することになるが、この場合、開口１６ｅが形成されている筒状突出部１６ｂは上方に突出しており、多くの溶剤１４ａは開口１６ｅよりも下方となる筒状突出部１６ｂの周囲の仕切り壁の部分で滞留することになり、開口１６ｅから溶剤液体が流れ出すことはない。このとき、溶剤含浸材１４に含浸される溶剤１４ａの全量に対して、筒状突出部１６ｂ周囲の容積が十分になるように、筒状突出部１６ｂの突出長さ、即ち、開口１６ｅと仕切り壁１６ａの長さＬ１を十分大きく設定しておく。また、キャップ１２が液体容器１０から取り外され、図３（ｂ）に示したように、例えばキャップを横向き、すなわち仕切り壁１６ａを縦置きにしてキャップ１２が設置された場合には、筒状突出部１６ｂも横向きになり、多くの溶剤が溶剤含浸材１４の中でも、筒状突出部１６ｂよりも下方の部分に滞留することになり、開口１６ｅから溶剤液体が流れ出すことはない。このとき、溶剤含浸材１４に含浸される溶剤１４ａの全量に対して、筒状突出部１６ｂより下方の容積が十分になるように、筒状突出部１６ｂとケース部材１６の側面との間の長さＬ２を十分大きく設定しておく。尚、キャップ１２が液体容器１０に被着されている状態においても溶剤液体が流れ出さないことは同じである。
【００２０】
こうして、バネ等を不要とし、材料費を低減することができる。また、キャップの組立ても、溶剤含浸材１４を含むケース２０を圧入するだけであるので、簡単に溶剤含浸材１４を有するキャップ１２を製造することができる。
【００２１】
次に、図４は本発明の第２の実施の形態を表す縦断面図である。図において、第１の実施の形態と同様の部材は同一の符号を付し、その詳細説明を省略する。
【００２２】
図において、溶剤含浸材１４は、ケース部材２６と蓋部材２８とからなるケース２４内に内包されている。ケース２４はキャップ本体１３に固定されている。ケース２４の刷毛１０ｆから離れたキャップ本体１３の奥部側にある端面となる蓋部材２８の径方向中心部には、溶剤含浸材１４の方へ突出する筒状突出部２８ｂが形成されている。さらにこの筒状突出部２８ｂの突出端面２８ｃに開口２８ｄが形成されている。また、ケース部材２６の側面には、図５に示したように、円形断面が一部凹んだ凹部２６ａが形成されており、凹部２６ａとキャップ本体１３との間に隙間が形成されて、この隙間が溶剤蒸気流通用の通路２９となっている。また、ケース部材２６の周縁からは、刷毛１０ｆの方に向けて鍔部２６ｂが形成されている。
【００２３】
以上のように構成されるキャップにおいては、キャップ１２が液体容器１０に被着されているときには、蓋部材２８の筒状突出部２８ｂの突出端２８ｃに設けた開口２８ｄから溶剤蒸気が液体容器１０の刷毛１０ｆへと流出し、刷毛１０ｆに湿りを与え、刷毛１０ｆの乾燥を阻止する。キャップ１２が液体容器１０に被着されている状態で、タンク部１０ａを押圧する等して刷毛１０ｆから粘性液が飛び出すことがあった場合でも、その粘性液は主にケース部材２６に付着し、ケース部材２６の鍔部２６ｂによって外径方向へ飛散することが阻止される。このため、通路２９や開口２８ｄの方へ飛び散ってこれらを詰まらせるおそれはない。
【００２４】
第1の実施の形態と同様に、キャップ１２が刷毛１０ｆから取り外され、例えば溶剤含浸材１４よりも蓋部材２８を下側にしてキャップ１２が設置された場合には、溶剤含浸材１４に含浸された溶剤１４ａが蓋部材２８の方へと移動することになるが、この場合、開口２８ｄが形成されている筒状突出部２８ｂは上方に突出しており、多くの溶剤１４ａは開口２８ｄよりも下方となる筒状突出部２８ｂの周囲の蓋部材２８の部分で滞留することになり、開口２８ｄから溶剤液体が流れ出すことはない。このとき、溶剤含浸材１４に含浸される溶剤１４ａの全量に対して、筒状突出部２８ｂ周囲の容積が十分になるように、筒状突出部２８ｂの突出長さ、即ち、開口２８ｄと蓋部材２８の長さＬ３を十分大きく設定しておく。また、キャップ１２が液体容器１０から取り外され、キャップを横向き、すなわち蓋部材２８を縦置きにしてキャップ１２が設置された場合には、筒状突出部２８ｂも横向きになり、多くの溶剤が溶剤含浸材１４の中でも、筒状突出部２８ｂよりも下方の部分に滞留することになり、開口２８ｄから溶剤液体が流れ出すことはない。このとき、溶剤含浸材１４に含浸される溶剤１４ａの全量に対して、開口２８ｄより下方の容積が十分になるように、開口２８ｄとケース部材２６の側面との間の長さＬ４を十分大きく設定しておく。尚、キャップ１２が液体容器１０に被着されている状態においても溶剤液体が流れ出さないことは同じである。
【００２５】
以上のように、第２の実施の形態においても、バネ等を不要とし、材料費を低減することができる。また、キャップの組立ても、溶剤含浸材１４を含むケース２４を圧入するだけであるので、簡単に溶剤含浸材１４を有するキャップ１２を製造することができる。また、開口２８ｄが刷毛１０ｆに直接面していないので、刷毛１０ｆから飛び出した開口２８ｄが粘性液によって詰まることがない。また、鍔部１６ｂがあるので、一層、開口２８ｄや通路２９への粘性液の詰まりが防止される。
【００２６】
尚、本実施の形態では、先端塗布体として刷毛１０ｆを例にとったが、これに限るものではなく、細管、棒状体等であっても、同様に適用可能である。
【００２７】
【発明の効果】
以上説明したように、本発明によれば、バネ等の部品を不要として材料費を低減でき、かつ組み立ても簡単で、低コストで液体容器の先端塗布体の乾燥を防止することができるキャップとすることができる。
【図面の簡単な説明】
【図１】本発明の液体容器のキャップの第１の実施の形態を表す縦断面図である。
【図２】図１の要部拡大図であり、図１とキャップの中心軸線回りに９０度異なる面で切った断面図である。
【図３】キャップを液体容器から取り外した状態の部分断面図を表し、（ａ）は溶剤含浸材１４よりも仕切り壁１６ａを下側になるように設置した状態、（ｂ）は仕切り壁１６ａを縦置きになるように設置した状態を表す。
【図４】本発明の液体容器のキャップの第２の実施の形態を表す縦断面図である。
【図５】溶剤含浸材が無い状態における図４の５−５線に沿って見た断面図である。
【図６】従来の液体容器のキャップの縦断面図である。
【符号の説明】
１０  液体容器
１０ｆ  刷毛（先端塗布体）
１２  キャップ
１３  キャップ本体
１４  溶剤含浸材
１６ａ  仕切り壁
１６ｂ  筒状突出部
１６ｃ  側面
１６ｄ  突出端面
１６ｅ  開口
２４  ケース
２６ｂ  鍔部
２８  ケースの端面
２８ｂ  筒状突出部
２８ｄ  開口
２９  通路
【図１】
0003756013.tif 000002
【図２】
0003756013.tif 000003
【図３】
0003756013.tif 000004
【図４】
0003756013.tif 000005
【図５】
0003756013.tif 000006
【図６】
0003756013.tif 000007